(57)【特許請求の範囲】
【請求項１】
容器本体の開口部外周全周に中空凸条を設け、蓋の頂壁外周全周に前記凸条と嵌合する凹条を設け、前記凹条の内側壁の２点間を結ぶ直線に沿って頂壁外面に蓋の周辺部から所定の距離を隔てて溝を設け、この溝に沿って蓋を屈曲可能とした柔軟で復元性を有する熱可塑性合成樹脂シートより成る両嵌合容器であって、前記溝の断面形状がほぼＷ字形状で中央部が突条になっており、前記突条はその長さ方向の中間部において蓋の頂壁から突出せず、この突条の両端面によって前記蓋の凹条の内側壁に切欠きを形成し、この切欠に対応して前記蓋の凹条の外側壁に切欠きを設けたことを特徴とする部分開封可能な嵌合容器。
【請求項２】
前記凹条の外側壁の切欠きの断面形状がほぼ三角形状である請求項１に記載の嵌合容器。
【発明の詳細な説明】
【０００１】
【発明の技術分野】
この発明は、部分的に開封可能な両嵌合容器に関する。
【０００２】
【従来の技術】
比較的薄い合成樹脂シートを成形した嵌合容器は、蓋の容器本体に対する嵌合形態によって、内嵌合、外嵌合、両嵌合に大別されるが、いずれの形態においても、蓋を部分開封するためには、蓋の一部を折り曲げる必要がある。しかしながら蓋の構造上、頂壁の周縁部からほぼ垂直にスカート部又は周壁が設けられているため、蓋を折り曲げるとスカート部又は周壁が破損してしまう恐れがある。
【０００３】
【発明の課題】
そこで、外嵌合容器の蓋の周縁に溝を設け、その溝から液体を排出するようにしたものが例えば特許第３０２８２３１号公報に開示されている。しかし、この容器は、外嵌合容器であるため、蓋と容器本体との嵌合力が小さく、衝撃によって蓋が外れ易く、特に液体を含む内容物を収納する場合は、蓋を容器本体にヒートシールするのが普通であり、液体を排出するため、蓋を部分開封すると、その部分の蓋が折れ曲ったまま復元しなかったり、破損したりして、密閉性が悪くなってしまう問題がある。これは両嵌合容器の場合も同様である。
【０００４】
上記問題を解決するため、本出願人は、蓋の頂壁内面に溝を設け、この溝に沿って蓋を折り曲げることができるようにした嵌合容器を提案している（特願２０００−２５５０２２号）。しかしながら、頂壁内面に溝を設けると、頂壁外面に突条が形成されるため、頂壁にラベルを貼付けたり、積み重ねる際の障害になる問題が生じている。
【０００５】
そこで、この発明の課題は、蓋の頂壁にラベルを貼付けたり、積み重ねの邪魔にならずかつ容易に蓋を折り曲げて部分開封を可能にすることである。
【０００６】
【課題の解決手段】
上記の課題を解決するため、この発明は、容器本体の開口部外周全周に中空凸条を設け、蓋の頂壁外周全周に前記凸条と嵌合する凹条を設け、前記蓋の凹条の内側壁の２点間を結ぶ直線に沿って蓋の周辺部から所定の距離を隔てて蓋の頂壁外面に溝を設け、この溝に沿って蓋を屈曲可能にした柔軟で復元性を有する熱可塑性合成樹脂シートより成る両嵌合容器であって、前記溝の断面形状がほぼＷ字形状で中央部が突条になっており、前記突条はその長さ方向の中間部において蓋の頂壁から突出せず、この突条の両端面によって前記蓋の凹条の内側壁に切欠きを形成し、この切欠きに対応して前記蓋の凹条の外側壁に切欠きを設けた構成を採用したのである。
【０００７】
前記蓋の凹条の外側壁の切欠きの断面形状をほぼ三角形状にしておくのがよい。
【０００８】
【実施の形態】
以下、この発明の実施形態を添付図面に基づいて説明する。図１に示すように、この発明の嵌合容器は、容器本体１０と蓋２０より成る。いずれも厚さ０．２〜５．０ｍｍ程度の熱可塑性合成樹脂シートを真空成形、圧空成形又は真圧空成形法によって形成したものであって、具体的材料としては、比較的柔軟で復元性に富むアモルファスポリエステル、ポリプロピレン、ポリスチレン系などの樹脂が好ましい。
【０００９】
前記容器本体１０は、底壁１１と、その周縁から立ち上る周壁１２を有し、周壁１２の上端開口部１２ａの全周には巾の狭い段部１３が設けられ、この段部１３から中空凸条１４の内側壁１４ａが立ち上り、平坦部を介して外側壁１４ｂが垂下している。これらの内外側壁１４ａ、１４ｂは下方に向って間隔が狭くなるテーパ状になっている。そして外側壁１４ｂの一部にタブ１５が設けられている。
【００１０】
前記蓋２０は、図１、図２、図３に示すように、頂壁２１の全周縁に凹条２４を設けたものであって、この凹条２４の内側壁２４ａと外側壁２４ｂは下方に向って間隔が狭くなるテーパ状に形成され、前記容器本体１０の凸条１４に嵌合して圧着するようになっている。そして頂壁２１には、前記凹条２４の内側壁２４ａの２点間を結ぶ直線に沿って、溝２２が設けられている。この溝２２の断面形状は、ほぼＷ字形で中央部に突条２２ａを設けたものがよい。この突条２２ａの両端２２ｃは、図３に示すように、内側壁２４ａの上縁、即ち凹条２４の底面の平坦部に達しており、突条２２ａの端面によって、内側壁２４ａに切欠きを形成している。
【００１１】
前記溝２２の両端の延長線に対応して、前記凹条２４の外側壁２４ｂに、一対の切欠き２４ｃ、２４ｃが設けられている。この切欠き２４ｃ、２４ｃの形状は、ほぼ三角形のほか、半円形、半長円形などでもよい。なお、図２の符号２５はタブを示す。このタブ２５は溝２２と平行に設けておくのがよい。
【００１２】
上述のような嵌合容器を開封する場合は、容器本体１０のタブ１５に対応する蓋２０のタブ２５を指で持ち上げ、蓋２０の凹条２４と容器本体１０の凸条１４との係合を解きながらさらに蓋２０を引き上げると、図４に示すように、蓋２０は溝２２に沿って折れ曲り、部分開口が形成される。このとき、蓋２０の凹条２４の内外側壁２４ａ、２４ｂに、溝２２の両端に対応して、切欠き２４ｃ及び突条２２ａの両端面による切欠き（内側壁２４ａの欠落部）を形成しておくと、折れ曲りを阻害することなく容易に屈曲し、また凹条２４が破損することもない。この部分開口から内容物の一部や液体成分を排出することができる。また、排出後は、再封することも簡単にできる。なお、溝２２が、ほぼＷ字形で中央に突条２２ａを形成したものは、突条２２ａの内面側が溝２２ｂとなるため、折れ曲がりがより容易に行われる。
【００１３】
この発明に係る嵌合容器の蓋２０の平面形状は、図２に示すような円形状に限らない。その他の多角形や楕円形或は異形の容器でもよい。また、頂壁２１の外面に設ける溝２２も１本に限定されることなく２本以上であってもよい。
【００１４】
【発明の効果】
この発明によれば、以上のように、両嵌合容器の蓋の周辺部から所定の距離を隔てて蓋の頂壁外面に溝を設けたので、この溝に沿って蓋を容易に屈曲することができ、従って部分開口を簡単に形成することができ、開封時に内容物の液体成分が飛散するようなことがなく、また密封性を損なうことなく容易に再封可能である。また、溝であるため、蓋の頂壁に、ラベルの貼付けや積み重ねの邪魔になる突出部がない。
【００１５】
さらに、前記溝に対応して、蓋の内外側壁に切欠きを形成すると、屈曲性をより高めることができる。
【図面の簡単な説明】
【図１】この発明の嵌合容器の一例を示す縦断面図
【図２】同上の蓋を示す平面図
【図３】蓋の一部拡大斜視図
【図４】部分開口を形成する状態を示す縦断面図
【符号の説明】
１０  容器本体
１１  底壁
１２  周壁
１２ａ  開口部
１３  段部
１４  凸条
１４ａ  内側壁
１４ｂ  外側壁
１５  タブ
２０  蓋
２１  頂壁
２２  溝
２２ａ  溝内の突条
２２ｂ  溝
２２ｃ  突条の両端
２４  凹条
２４ａ  内側壁
２４ｂ  外側壁
２４ｃ  切欠き
２５  タブ
【図１】
0003976538.tif 000002
【図２】
0003976538.tif 000003
【図３】
0003976538.tif 000004
【図４】
0003976538.tif 000005